(57)【要約】【課題】アンカーピンの打設位置が限定されず、どの位置にでもアンカーピンを打設できる河川敷用防水マット及び河川敷用防水マットの敷設方法を提供する。【解決手段】河川敷用防水マット１１において、下面側が凹凸面１３となる止水シート１５と、止水シート１５よりも重ね代１７の分だけ小さく形成されて止水シート１５の上面に積層される吸水不織布１９と、吸水不織布１９に外形状が一致して形成され吸水不織布１９の上面に積層されるクッション性を備えた不織布２１と、を設けた。【選択図】  図１
2013249674.tif 000002
【特許請求の範囲】
【請求項１】
下面側が凹凸面となる止水シートと、
前記止水シートよりも重ね代の分だけ小さく形成されて前記止水シートの上面に積層される吸水不織布と、
前記吸水不織布に外形状が一致して形成され前記吸水不織布の上面に積層されるクッション性を備えた不織布と、
を具備することを特徴とする河川敷用防水マット。
【請求項２】
下面側が凹凸面となる止水シートと、
前記止水シートよりも重ね代の分だけ小さく形成されて前記止水シートの上面に積層されるクッション性を備える第１の不織布と、
前記第１の不織布に外形状が一致して形成され前記第１の不織布の上面に積層される吸水不織布と、
前記吸水不織布に外形状が一致して形成され前記吸水不織布の上面に積層されるクッション性を備えた第２の不織布と、
を具備することを特徴とする河川敷用防水マット。
【請求項３】
請求項１または２記載の河川敷用防水マットであって、
前記不織布が、ニードルパンチ加工によって平布に一体に積層されていることを特徴とする河川敷用防水マット。
【請求項４】
請求項１または２記載の河川敷用防水マットであって、
前記吸水不織布が、ニードルパンチ加工によって基布に一体に積層されていることを特徴とする河川敷用防水マット。
【請求項５】
請求項１，２，３，４のいずれか１つに記載の河川敷用防水マットであって、
前記止水シートと、前記止水シートに接する直近上層の前記吸水不織布、前記不織布、または前記基布のいずれか一つとが、接着剤による複数の点状接着部によって接合されていることを特徴とする河川敷用防水マット。
【請求項６】
請求項１，２，３，４，５のいずれか１つに記載の河川敷用防水マットであって、
前記不織布と前記吸水不織布とが、ニードルパンチ加工によって一体に積層されていることを特徴とする河川敷用防水マット。
【請求項７】
請求項１〜請求項６のいずれか１つに記載の河川敷用防水マットを用いた河川敷用防水マットの敷設方法であって、
前記河川敷用防水マットと隣接する他の前記河川敷用防水マットとが、前記河川敷用防水マットの前記重ね代の上に、隣接する他の前記河川敷用防水マットが重ねられて地面に敷かれ、
それぞれの前記河川敷用防水マットが、異形鉄筋よりなるアンカーピンによって貫通されて前記地面に固定されることを特徴とする河川敷用防水マットの敷設方法。
【発明の詳細な説明】
【技術分野】
【０００１】
本発明は、河川敷や河川堤防護岸に敷設して、水が浸透するのを防ぐ遮水工法に使用する河川敷用防水マット及び河川敷用防水マットの敷設方法に関する。
【背景技術】
【０００２】
例えば、堤防護岸の遮水工法においては、河川護岸に遮水マットを敷設し、その上にブロックマット等のシート状材料を設置し、それをアンカーピンにより固定する場合がある。この場合、アンカーピンにより止水シートに孔があけられるため、漏水が問題になる。そこで、特許文献１に開示されるアンカーピン打設可能マットは、高分子樹脂製の止水シートと合成繊維製の補強マットと、その間に部分的に配した防水性樹脂シートとを一体化して構成し、防水性樹脂シートを配した箇所をアンカーピン打設箇所としている。このアンカーピン打設可能マットによれば、防水性樹脂シートを部分的に配し、防水性樹脂シートを配した箇所をアンカーピン打設箇所とするので、アンカーピンを打設しないほとんどの部分において防水性樹脂シートが配されていない。これにより、材料コストが安くなり、マット重量も軽くなるので作業性が向上する利点がある。
【先行技術文献】
【特許文献】
【０００３】
【特許文献１】特開２００９−２０７４号公報
【発明の概要】
【発明が解決しようとする課題】
【０００４】
しかしながら、上記したアンカーピン打設可能マットは、吸水性樹脂シートが補強マットにて覆われて点在または帯状で位置しているため、アンカーピンを打つ箇所がわからない、若しくはわかりにくい。補強マット上にアンカーピン打設箇所を印字などで表示したり、着色することにより、アンカーピンを打設する箇所を明示することも考慮されているが、打設箇所が限定されてしまい、所定間隔毎に吸水性樹脂シートが位置していても地面の状態によっては対応不可能となる場合があり、移動不能や穿孔不能な石がある場合等もある。
【０００５】
本発明は上記状況に鑑みてなされたもので、その目的は、アンカーピンの打設位置が限定されず、どの位置にでもアンカーピンを打設できる河川敷用防水マット及び河川敷用防水マットの敷設方法を提供することにある。
【課題を解決するための手段】
【０００６】
次に、上記の課題を解決するための手段を、実施の形態に対応する図面を参照して説明する。
本発明の請求項１記載の河川敷用防水マット１１は、下面側が凹凸面１３となる止水シート１５と、
前記止水シート１５よりも重ね代１７の分だけ小さく形成されて前記止水シート１５の上面に積層される吸水不織布１９と、
前記吸水不織布１９に外形状が一致して形成され前記吸水不織布１９の上面に積層されるクッション性を備えた不織布２１と、
を具備することを特徴とする。
【０００７】
この河川敷用防水マット１１では、吸水不織布１９が、重ね代１７を除く止水シート１５の全面に設けられる。任意の位置でアンカーピン２７が貫通すると、吸水不織布１９が止水シート１５にあけられたアンカーピン２７の貫通孔２９の周囲に不織布２１を介して押圧される。通水により吸水不織布１９の繊維が膨張すると、貫通孔周囲の押圧部分が高密度となり、貫通孔２９が更に高い水密性で塞がれる。
【０００８】
本発明の請求項２記載の河川敷用防水マット３１は、下面側が凹凸面１３となる止水シート１５と、
前記止水シート１５よりも重ね代１７の分だけ小さく形成されて前記止水シート１５の上面に積層されるクッション性を備える第１の不織布２１と、
前記第１の不織布２１に外形状が一致して形成され前記第１の不織布２１の上面に積層される吸水不織布１９と、
前記吸水不織布１９に外形状が一致して形成され前記吸水不織布１９の上面に積層されるクッション性を備えた第２の不織布２１と、
を具備することを特徴とする。
【０００９】
この河川敷用防水マット３１では、吸水不織布１９が、重ね代１７を除く止水シート１５の全面に設けられる。任意の位置でアンカーピン２７が貫通すると、第１の不織布２１が止水シート１５にあけられたアンカーピン２７の貫通孔２９の周囲に第２の不織布２１と吸水不織布１９とを介して押圧される。通水により吸水不織布１９の繊維が膨張すると、貫通孔周囲の押圧部分が高密度となり、貫通孔２９が更に高い水密性で塞がれる。また、吸水不織布１９と止水シート１５との間に不織布２１が介在する分、外力が吸収され易くなる。
【００１０】
本発明の請求項３記載の河川敷用防水マット３３は、請求項１または２記載の河川敷用防水マット１１であって、
前記不織布２１が、ニードルパンチ加工によって平布３５に一体に積層されていることを特徴とする。
【００１１】
この河川敷用防水マット３３では、不織布２１が、剛性の高い平布３５とニードルパンチ加工によって固定されることで、平布３５と一体の積層体となって剛性が高められる。
【００１２】
本発明の請求項４記載の河川敷用防水マット３３は、請求項１または２または３記載の河川敷用防水マット１１であって、
前記吸水不織布１９が、ニードルパンチ加工によって基布３７に一体に積層されていることを特徴とする。
【００１３】
この河川敷用防水マット３３では、吸水不織布１９と基布３７とが重ね合わされた状態で、ニードルパンチ加工が施されることで双方の繊維が絡まり合って、接着剤等の他の接合材料を不要にして、吸水不織布１９と基布３７のみでの固定が可能となる。
【００１４】
本発明の請求項５記載の河川敷用防水マット１１は、請求項１，２，３，４のいずれか１つに記載の河川敷用防水マット１１であって、
前記止水シート１５と、前記止水シート１５に接する直近上層の前記吸水不織布１９、前記不織布２１、または前記基布３７のいずれか一つとが、接着剤による複数の点状接着部によって接合されていることを特徴とする。
【００１５】
この河川敷用防水マット１１では、止水シート１５の止水性が低下せずに、吸水不織布１９、不織布２１、または基布３７が止水シート１５に固定される。接着剤が点状接着部に使用されるので、使用量が少なくて済む。
【００１６】
本発明の請求項６記載の河川敷用防水マット１１は、請求項１，２，３，４，５のいずれか１つに記載の河川敷用防水マットであって、
前記不織布２１と前記吸水不織布１９とが、ニードルパンチ加工によって一体に積層されていることを特徴とする。
【００１７】
この河川敷用防水マット１１では、不織布２１と吸水不織布１９とが重ね合わされた状態で、ニードルパンチ加工が施されることで双方の繊維が絡まり合って、接着剤等の他の接合材料を不要にして、不織布２１と吸水不織布１９とが一体構造となり、不織布２１と吸水不織布１９のみでの固定が可能となる。
【００１８】
本発明の請求項７記載の河川敷用防水マット１１の敷設方法は、請求項１〜６のいずれか１つに記載の河川敷用防水マット１１を用いた河川敷用防水マット１１の敷設方法であって、
前記河川敷用防水マット１１と隣接する他の前記河川敷用防水マット１１とが、前記河川敷用防水マット１１の前記重ね代１７の上に、隣接する他の前記河川敷用防水マット１１が重ねられて地面２３に敷かれ、
それぞれの前記河川敷用防水マット１１が、異形鉄筋よりなるアンカーピン２７によって貫通されて前記地面２３に固定されることを特徴とする。
【００１９】
この河川敷用防水マット１１の敷設方法では、止水シート１５の上層の少なくとも一層が吸水不織布１９による吸水層となり、地面２３へのマット敷設後、アンカーピン２７が貫通されると、異形鉄筋よりなるアンカーピン２７に繊維が絡められて、止水シート１５の貫通孔２９の周囲に押圧され、貫通孔２９が塞がれる。通水によって吸水不織布１９が膨張すると、貫通孔周囲の押圧部分が高密度となり、貫通孔２９がより確実に塞がれる。
【発明の効果】
【００２０】
本発明に係る請求項１記載の河川敷用防水マットによれば、全面にわたって吸水不織布が積層配置されているので、アンカーピンの打設位置が限定されず、どの位置にでもアンカーピンを打設でき、施工性が向上する。また、吸水不織布により、打設されたアンカーピンの貫通穿孔があっても、その穿孔部分からの漏水が極微小、若しくは漏水することがないものとなる。
【００２１】
本発明に係る請求項２記載の河川敷用防水マットによれば、全面にわたって吸水不織布が積層配置されているので、アンカーピンの打設位置が限定されず、どの位置にでもアンカーピンを打設できる。また、吸水不織布が一対の不織布によって挟まれ、緩衝作用が高まる。
【００２２】
本発明に係る請求項３記載の河川敷用防水マットによれば、ニードルパンチ加工によって不織布が基布に固定されることで、不織布の拡がりを抑止できる。また、強度が増し、こしのある層を形成できる。
【００２３】
本発明に係る請求項４記載の河川敷用防水マットによれば、接着工程を不要にして、吸水不織布と基布とを安価に固定できる。吸水不織布の拡がりを抑止できる。また、強度が増し、こしのある層を形成できる。
【００２４】
本発明に係る請求項５記載の河川敷用防水マットによれば、不織布自体の通水性を低下させることなく、止水シートの止水性を低下させずに、緩衝層や吸水層を止水シートに固定できる。
【００２５】
本発明に係る請求項６記載の河川敷用防水マットによれば、接着工程を不要にして、不織布と吸水不織布とを安価に固定でき、一体化させることが可能となる。
【００２６】
本発明に係る請求項７記載の河川敷用防水マットの敷設方法によれば、アンカーピンの異形鉄筋に、吸水不織布の繊維が絡み、止水シートの貫通孔を塞いだ繊維が膨張して止水性が向上する。
【図面の簡単な説明】
【００２７】
【図１】本発明に係る第１実施形態の河川敷用防水マットの断面図である。
【図２】第２実施形態の河川敷用防水マットの断面図である。
【図３】第３実施形態の河川敷用防水マットの断面図である。
【図４】第４実施形態の河川敷用防水マットの断面図である。
【図５】本発明に係る河川敷用防水マットの敷設方法の手順を示す概略斜視図である。
【図６】同敷設方法によって敷設された河川敷用防水マットの断面図である。
【発明を実施するための形態】
【００２８】
以下、本発明に係る実施形態を図面を参照して説明する。
図１は本発明に係る第１実施形態の河川敷用防水マットの断面図である。
本実施形態に係る河川敷用防水マット１１は、下面側が凹凸面１３となる止水シート１５と、止水シート１５よりも重ね代１７の分だけ小さく形成されて止水シート１５の上面に積層される吸水不織布１９と、吸水不織布１９に外形状が一致して形成され吸水不織布１９の上面に積層されるクッション性を備えた不織布２１と、を備えて成る。
【００２９】
止水シート１５は、厚さ約１．０ｍｍとされ、地面２３（図６参照）に対向する一方の面が凹凸面１３で構成される遮水性を備えるシート材で、例えば比重が０．１５ｇ／ｃｍ3 以上とされ、素材としては、エチレン−酢酸ビニル共重合体や、ポリエチレン、ポリプロピレン、ポリエステル、ポリ塩化ビニル、ポリ塩化ビニリデン、ポリアミド、エチレン−（メタ）アクリル酸メチル共重合体などが挙げられる。これらは１種のみを単独で使用しても良く、２種以上を併用することもできる。なお、凹凸面１３の形状としては、平滑な面に対して突起状の凸部が所定間隔ごと或いはランダムに縦横に配列した構造や、畦状の凸部を所定間隔で枡目状，格子状に形成する構造など摩擦抵抗となる形状が好ましい。
【００３０】
吸水不織布１９は、高吸水性ポリマーの繊維からなる。高吸水性ポリマーは、特に限定されない。水に不溶で、かつ水分や湿気を速やかに吸収し、自重の数十倍から数百倍近い水分を吸収して膨潤する従来公知の素材（デンプン系、セルロース系、その他の多糖類系、及びタンパク質系の天然高分子類並びに、ポリビニルアルコール系、アクリル系、その他の付加重合体、ポリエーテル系、縮合系ポリマー及びその他合成高分子系の合成高分子類）が挙げられる。
【００３１】
より具体的には、例えば、カルボン酸基又はそのアルカリ金属塩基などの親水性基含有モノマーとカルボン酸基と反応してエステル架橋結合を形成できるヒドロキシル基含有モノマーなどが共重合され、かつエステル架橋結合が導入されてなる繊維、ポリアクリロニトリル系繊維の外層のみが加水分解され、カルボン酸基又はそのアルカリ金属塩基が導入されてなる繊維などであり、膨潤度が１０倍以下のものである。これらの繊維の中で、内層がアクリル系繊維で外層に高吸水性部を配した２層構造繊維が好ましく、さらには、高吸水性部がヒドラジン化合物などで架橋されていることが耐久性及び寸法安定性の点でより好ましく、例えば、東洋紡績株式会社製の超吸水性繊維ランシールＦ（商品名）などを用いることができる。
【００３２】
不織布２１は、例えば密度０．１３ｇ／ｃｍ2 程度としたものが好適とされる。河川敷用防水マット１１は、不織布２１に代えて、織布、編み物、グリッドなどが使用できる。これらを構成する繊維としては、非生分解性、若しくは難生分解性の繊維であれば特に限定はなく、例えばポリエステル繊維、アクリル樹脂繊維、ポリオレフィン繊維、ポリアミド繊維などが挙げられる。
【００３３】
止水シート１５に積層される吸水不織布１９と不織布２１とは、保護マット２５を構成する。つまり、河川敷用防水マット１１は、止水シート１５に保護マット２５が積層されて成る。保護マット２５は、厚さ約１０ｍｍ程度となり、クッション性を備える。不織布２１と吸水不織布１９とは、ニードルパンチ加工によって一体に積層構成とすることができる。
【００３４】
河川敷用防水マット１１は、例えば長さ約      ｍ、幅約２００ｃｍの略帯状に形成される。河川敷用防水マット１１は、止水シート１５が、保護マット２５の幅長よりも幅方向の一側縁が延出しており、例えば保護マット２５の幅長を２００ｃｍとした場合に約１５ｃｍ延出するよう構成される。この止水シート１５の延出した部分は、隣り合う他の河川敷用防水マット１１とともに敷設された場合の重ね代１７となる。
【００３５】
次に、上記構成を有する河川敷用防水マット１１の作用を説明する。
河川敷用防水マット１１では、吸水不織布１９が、重ね代１７を除く止水シート１５の全面に設けられる。任意の位置でアンカーピン２７（図６参照）が貫通すると、吸水不織布１９が止水シート１５にあけられたアンカーピン２７の貫通孔２９（図６参照）の周囲に不織布２１を介して押圧される。通水により吸水不織布１９の繊維が膨張すると、貫通孔周囲の押圧部分が高密度となり、貫通孔２９が更に高い水密性で塞がれることとなる。すなわち、吸水不織布１９により、打設されたアンカーピン２７の貫通穿孔があっても、その穿孔部分からの漏水が極微小、若しくは漏水することがないものとなる。
【００３６】
また、河川敷用防水マット１１は、不織布２１と吸水不織布１９とが重ね合わされた状態で、ニードルパンチ加工が施されることで双方の繊維が絡まり合って、接着剤等の他の接合材料を不要にして、不織布２１と吸水不織布１９のみでの固定が可能となる。これにより、接着工程を不要にして、不織布２１と吸水不織布１９とが安価に一体化固定される。不織布２１と吸水不織布１９とが固定される保護マット２５は、後述するように、止水シート１５と接着剤によって固定される。
【００３７】
次に、第２実施形態に係る河川敷用防水マット３１を説明する。
図２は第２実施形態の河川敷用防水マット３１の断面図である。なお、以下の各実施形態において、図１に示した部材と同一の部材には同一の符号を付し、重複する説明は省略する。
この河川敷用防水マット３１は、下面側が凹凸面１３となる止水シート１５と、止水シート１５よりも重ね代１７の分だけ小さく形成されて止水シート１５の上面に積層されるクッション性を備える第１の不織布２１と、第１の不織布２１に外形状が一致して形成され第１の不織布２１の上面に積層される吸水不織布１９と、吸水不織布１９に外形状が一致して形成され吸水不織布１９の上面に積層されるクッション性を備えた第２の不織布２１とで構成される。
【００３８】
この河川敷用防水マット３１では、吸水不織布１９が、重ね代１７を除く止水シート１５の全面に設けられる。任意の位置でアンカーピン２７が貫通すると、第１の不織布２１が止水シート１５にあけられたアンカーピン２７の貫通孔２９の周囲に第２の不織布２１と吸水不織布１９とを介して押圧される。通水により吸水不織布１９の繊維が膨張すると、貫通孔周囲の押圧部分が高密度となり、貫通孔２９が更に高い水密性で塞がれる。また、吸水不織布１９と止水シート１５との間に不織布２１が介在する分、外力が吸収され易くなる。つまり、高いクッション性が得られる。
【００３９】
この河川敷用防水マット３１によれば、アンカーピン２７の打設位置が限定されず、どの位置にでもアンカーピン２７を打設できる。また、吸水不織布１９が一対の不織布２１によって挟まれ、緩衝作用が高まる。
【００４０】
次に、第３実施形態に係る河川敷用防水マット３３を説明する。
図３は第３実施形態の河川敷用防水マット３３の断面図である。
この河川敷用防水マット３３は、一対の不織布２１が、ニードルパンチ加工によって平布３５を挟んで一体に積層されている。この平布３５は、例えば８００〜１２００デニールのモノヒラメント糸を１２〜１６本／インチに織り込んだ布材で、繊維の方向が直角に交差するよう織り上げて構成される。不織布２１が、剛性の高い平布３５とニードルパンチ加工によって固定されることで、平布３５と一体の積層体となって剛性が高められる。
また、吸水不織布１９が、ニードルパンチ加工によって基布３７に一体に積層されている。この基布３７も上記平布３５と同様の織り布より構成される。吸水不織布１９と基布３７とが重ね合わされた状態で、ニードルパンチ加工が施されることで双方の繊維が絡まり合って、接着剤等の他の接合材料を不要にして、吸水不織布１９と基布３７のみでの固定が可能となる。平布３５を挟んで積層される不織布２１と、基布３７に積層される吸水不織布１９とは、ニードルパンチ加工によって一度に固定されてもよい。
【００４１】
この河川敷用防水マット３３によれば、ニードルパンチ加工によって不織布２１が基布３７に固定されることで、不織布２１の拡がりを抑止できる。また、接着工程を不要にして、吸水不織布１９と基布３７とを安価に固定でき、吸水不織布１９の拡がりも抑止できる。
【００４２】
次に、第４実施形態に係る河川敷用防水マット３９を説明する。
図４は第４実施形態の河川敷用防水マット３９の断面図である。
この河川敷用防水マット３９は、平布３５を挟んだ一対の不織布２１と、吸水不織布１９とが、ニードルパンチ加工によって一体に積層されている。この積層体は、吸水不織布側が止水シート１５に接着固定される。
この河川敷用防水マット３９によれば、吸水不織布１９が止水シート１５に直接固定され、基布３７を使用しない分、安価となる。
【００４３】
上記した各実施形態の河川敷用防水マット１１，３１，３３，３９は、止水シート１５と、止水シート１５に接する直近上層の吸水不織布１９、不織布２１、または基布３７のいずれか一つとが、接着剤による複数の点状接着部によって接合される。接着剤が用いられることで、止水シート１５に穿孔の必要がなく、止水性が低下せずに、吸水不織布１９、不織布２１、または基布３７が止水シート１５に固定される。また、接着剤が点状接着部に使用されるので、使用量が少なくて済む。これにより、止水シート１５の止水性を低下させずに、緩衝層や吸水層を止水シート１５に固定できる。
【００４４】
なお、接着剤としては、例えば、ニトリルゴム系、クロロプレーンゴム系、スチレンブタジエンゴム系が用いられる。
【００４５】
次に、本発明に係る河川敷用防水マットの敷設方法を説明する。
図５は本発明に係る河川敷用防水マットの敷設方法の手順を示す概略斜視図、図６は同敷設方法によって敷設された河川敷用防水マット１１の断面図である。
この河川敷用防水マットの敷設方法では、第１実施形態に係る河川敷用防水マット１１を用いた場合を例に説明するが、他の実施形態に係るものを用いても、その敷設方法は同様となる。
河川敷用防水マット１１は、図５に示すように河川堤防護岸における地面としての斜面４１（法面）に下流側から順に敷設される。河川敷用防水マット１１は、止水シート１５を下面とし、図６に示すように、この止水シート１５の凹凸面１３を斜面４１に対向させて敷設される。
【００４６】
敷設時には、重ね代１７が上流側に向くように斜面４１の上方から下方に向けて、巻回状態の河川敷用防水マット１１を展張し、止水シート１５の一側縁に延設された重ね代１７に、隣接する他の河川敷用防水マット１１が重なるように敷設する。重ねられる河川敷用防水マット同士は、互いを接着或いは溶着することなく重ねるのみでアンカーピン２７によって固定される。なお、互いの接合状態を保つよう構成する場合には、重ね代１７の所定の位置で熱溶着や接着剤による接着、粘着テープによる接着などを行うこととしてもよく、この場合、接着箇所を点状に断続的に設けてもよく、或いは重ね代１７の長手方向に沿って線状に連続して設けてもよい。
【００４７】
アンカーピン２７は、表面に凹凸の突起が形成された異形鉄筋よりなり、約４０〜５０ｃｍの真直な挿入部４５と、この挿入部４５の一端に屈曲形成された保持部４３とを具備している。挿入部４５の先端は、切削や研削などの加工を施して尖鋭な形状としている。アンカーピン２７は、河川敷用防水マット１１の不織布２１の保護マット側から打設されて貫通し、斜面４１に挿着され、アンカーピン２７の頭部となる保持部４３にて河川敷用防水マット１１が固定される。
【００４８】
このようにして固定された河川敷用防水マット１１は、止水シート１５の凹凸面１３によって、斜面４１に対しての滑落が防止され、この斜面４１が覆われた状態を維持できる。さらにアンカーピン２７を打設することで、河川敷用防水マット１１は、その敷設位置からのズレが防止されることとなる。
【００４９】
この河川敷用防水マット１１の敷設方法では、止水シート１５の上層の少なくとも一層が吸水不織布１９による吸水層となる。地面２３へのマット敷設後、アンカーピン２７が貫通されると、異形鉄筋よりなるアンカーピン２７に繊維が絡められて、止水シート１５の貫通孔２９の周囲に押圧され、貫通孔２９が塞がれる。通水によって吸水不織布１９が膨張すると、貫通孔周囲の押圧部分が高密度となり、貫通孔２９がより確実に塞がれる。
【００５０】
従って、本実施形態に係る河川敷用防水マット１１，３１，３３，３９によれば、アンカーピン２７の打設位置が限定されず、どの位置にでもアンカーピン２７を打設することができる。
【００５１】
また、本実施形態に係る河川敷用防水マット１１，３１，３３，３９の敷設方法によれば、アンカーピン２７の異形鉄筋に、吸水不織布１９の繊維が絡み、止水シート１５の貫通孔２９を塞いだ繊維が膨張して、止水性を向上させることができる。
【符号の説明】
【００５２】
１１…河川敷用防水マット
１３…凹凸面
１５…止水シート
１７…重ね代
１９…吸水不織布
２１…不織布
２３…地面
２７…アンカーピン
３５…平布
３７…基布
【図１】
2013249674.tif 000003
【図２】
2013249674.tif 000004
【図３】
2013249674.tif 000005
【図４】
2013249674.tif 000006
【図５】
2013249674.tif 000007
【図６】
2013249674.tif 000008